(57)【要約】【課題】閉じた状態であっても内部を見ることができる紙製ファイルを提供する。【解決手段】紙製ファイル１００は、略矩形の紙製シートを２つ折りに折り曲げた折り曲げ線Ｌ１０１を境界として一方を第１シート１１０とし他方を第２シート１２０とし、折り曲げ線Ｌ１０１に隣接する１辺を接合し、他の２辺を非接合状態として第１シート１１０と第２シート１２０との少なくとも一部が重なる形態とし、第１シート１１０及び第２シート１２０の少なくとも一方に内部を視認可能とするための窓構造１３０を備える。【選択図】図１
0003231065.tif 000002
【実用新案登録請求の範囲】
【請求項１】
略矩形の紙製シートを２つ折りに折り曲げた折り曲げ線を境界として一方を第１シートとし他方を第２シートとし、前記折り曲げ線に隣接する１辺を接合し、他の２辺を非接合状態として第１シートと第２シートとの少なくとも一部が重なる形態とし、
前記第１シート及び前記第２シートの少なくとも一方に内部を視認可能とするための窓構造を備える紙製ファイル。
【請求項２】
請求項１に記載の紙製ファイルにおいて、
前記窓構造は、正面から見た窓形状の内の一辺が折り曲げ予定線であり、他の辺が切断線と切断予定線との少なくとも一方として構成されて、前記折り曲げ予定線で前記第１シート又は前記第２シートに繋がり前記窓構造の開口を塞ぐフラップ部を備えること、
を特徴とする紙製ファイル。
【請求項３】
請求項２に記載の紙製ファイルにおいて、
前記フラップ部を前記折り曲げ予定線で折り曲げた状態で挿入可能なスリット部を前記第１シート又は前記第２シートに備えること、
を特徴とする紙製ファイル。
【請求項４】
請求項１に記載の紙製ファイルにおいて、
前記窓構造は、前記第１シートを窓形状に開口した開口部と、
前記開口部の開口形状と略同一の外形形状に形成されている切断片とを有し、
前記切断片は、前記第２シートの内面側の前記開口部に対応する位置に接合されていること、
を特徴とする紙製ファイル。
【請求項５】
請求項１に記載の紙製ファイルにおいて、
前記窓構造は、
前記第１シート又は前記第２シートを窓形状に切除可能にする切除予定線と、
前記切除予定線により切除可能な切除予定部と、
を備えること、
を特徴とする紙製ファイル。
【考案の詳細な説明】
【技術分野】
【０００１】
本考案は、紙製ファイルに関するものである。
【背景技術】
【０００２】
従来から、紙製ファイルが知られている（例えば、特許文献１）。
しかし、従来の紙製ファイルは、樹脂製のクリアファイルとは異なり、閉じた状態では内部が見えないことから、挟み込まれた書類等がどのようなものであるかが分からず、使い勝手が悪かった。
【先行技術文献】
【特許文献】
【０００３】
【特許文献１】実用新案登録第３０８３２７２号公報
【考案の概要】
【考案が解決しようとする課題】
【０００４】
本考案の課題は、閉じた状態であっても内部を見ることができる紙製ファイルを提供することである。
【課題を解決するための手段】
【０００５】
本考案は、以下のような解決手段により、前記課題を解決する。なお、理解を容易にするために、本考案の実施形態に対応する符号を付して説明するが、これに限定されるものではない。
【０００６】
第１の考案は、略矩形の紙製シート（１１０、１２０、２１０、２２０、３１０、３２０）を２つ折りに折り曲げた折り曲げ線（Ｌ１０１、Ｌ２０１、Ｌ３０１）を境界として一方を第１シート（１１０、２１０、３１０）とし他方を第２シート（１２０、２２０、３２０）とし、前記折り曲げ線（Ｌ１０１、Ｌ２０１、Ｌ３０１）に隣接する１辺を接合し、他の２辺を非接合状態として第１シート（１１０、２１０、３１０）と第２シート（１２０、２２０、３２０）との少なくとも一部が重なる形態とし、前記第１シート（１１０、２１０、３１０）及び前記第２シート（１２０、２２０、３２０）の少なくとも一方に内部を視認可能とするための窓構造（１３０、２３０、３３０）を備える紙製ファイル（１００、２００、３００）である。
【０００７】
第２の考案は、第１の考案に記載の紙製ファイル（１００）において、前記窓構造（１３０）は、正面から見た窓形状（１３０）の内の一辺が折り曲げ予定線（Ｌ１０３）であり、他の辺が切断線（Ｌ１０６）と切断予定線（Ｌ１０４、Ｌ１０５）との少なくとも一方として構成されて、前記折り曲げ予定線（Ｌ１０３）で前記第１シート（１１０）又は前記第２シート（１２０）に繋がり前記窓構造（１３０）の開口を塞ぐフラップ部（１３１）を備えること、を特徴とする紙製ファイル（１００）である。
【０００８】
第３の考案は、第２の考案に記載の紙製ファイル（１００）において、前記フラップ部（１３１）を前記折り曲げ予定線（Ｌ１０３）で折り曲げた状態で挿入可能なスリット部（１３２）を前記第１シート（１１０）又は前記第２シート（１２０）に備えること、を特徴とする紙製ファイル（１００）である。
【０００９】
第４の考案は、第１の考案に記載の紙製ファイル（２００）において、前記窓構造（２３０）は、前記第１シート（２１０）を窓形状に開口した開口部（２３１）と、前記開口部（２３１）の開口形状と略同一の外形形状に形成されている切断片（２３２）とを有し、前記切断片（２３２）は、前記第２シート（２２０）の内面側の前記開口部（２３１）に対応する位置に接合されていること、を特徴とする紙製ファイル（２００）である。
【００１０】
第５の考案は、第１の考案に記載の紙製ファイル（３００）において、前記窓構造（３３０）は、前記第１シート（３１０）又は前記第２シート（３２０）を窓形状に切除可能にする切除予定線（３３１）と、前記切除予定線（３３１）により切除可能な切除予定部（３３２）と、を備えること、を特徴とする紙製ファイル（３００）である。
【考案の効果】
【００１１】
本考案によれば、閉じた状態であっても内部を見ることができる紙製ファイルを提供することができる。
【図面の簡単な説明】
【００１２】
【図１】本考案による紙製ファイル１００の第１実施形態を示す正面図である。
【図２】第１実施形態の紙製ファイル１００を内面側から示す展開図である。
【図３】フラップ部１３１を折り曲げ予定線Ｌ１０３で折り曲げた状態でスリット部１３２に挿入した状態の紙製ファイル１００を示す正面図である。
【図４】図３中の矢印Ａ−Ａの位置で紙製ファイル１００を切断した断面図である。
【図５】フラップ部１３１を折り曲げ予定線Ｌ１０３で折り曲げた状態でスリット部１３２に挿入した状態の紙製ファイル１００を示す斜視図である。
【図６】第２実施形態の紙製ファイル２００を示す正面図である。
【図７】第２実施形態の紙製ファイル２００を内面側から示す展開図である。
【図８】第１シート２１０と第２シート２２０とを折り曲げ線Ｌ２０１で折り曲げて重ねた状態を示す図である。
【図９】開口部２３１及び切断片２３２の形成を行う工程を示す図である。
【図１０】第１シート２１０を捲り上げた状態の紙製ファイル２００を示す斜視図である。
【図１１】第３実施形態の紙製ファイル３００を示す正面図である。
【図１２】第３実施形態の紙製ファイル３００を内面側から示す展開図である。
【考案を実施するための形態】
【００１３】
以下、本考案を実施するための最良の形態について図面等を参照して説明する。
【００１４】
（第１実施形態）
図１は、本考案による紙製ファイル１００の第１実施形態を示す正面図である。図１では、外観からは見えない接着剤層１２１の位置を破線とハッチングで示している。
図２は、第１実施形態の紙製ファイル１００を内面側から示す展開図である。
なお、図１を含め、以下に示す各図は、模式的に示した図であり、各部の大きさ、形状は、理解を容易にするために、適宜誇張したり、省略したりして示している。
また、以下の説明では、具体的な数値、形状、材料等を示して説明を行うが、これらは、適宜変更することができる。
また、図１中における上下方向及び左右方向を、それぞれ、上下、及び、左右として以下の説明中で方向を示して説明するものとし、他の実施形態についても同様である。
【００１５】
第１実施形態の紙製ファイル１００は、第１シート１１０と、第２シート１２０と、接着剤層１２１とを備えている。
第１シート１１０と第２シート１２０とは、折り曲げ線Ｌ１０１において繋がっており、両者は矩形の１枚の紙製シートにより構成されている。紙製ファイル１００は、折り曲げ線Ｌ１０１で２つ折りに折り曲げた形態となっている。図２において、折り曲げ線Ｌ１０１は、谷折りとなる。第１シート１１０及び第２シート１２０は、例えば、大王製紙株式会社製のユトリロ上質紙  ４６／９０ｋｇ等の上質紙を用いて作製することができるが、他の種類の紙を用いてもよい。
【００１６】
接着剤層１２１は、折り曲げ線Ｌ１０１に隣接して交差する辺の一端側、すなわち、図１のように正面から見たときに左側となる辺に沿って延在しており、第１シート１１０と第２シート１２０とを、この左側の辺に沿って接合している。なお、接着剤層１２１は、展開状態では、第２シート１２０に設けている形態としたが、第１シート１１０に接着剤層１２１を設けてもよい。接着剤層１２１は、例えば、水性エマルジョン系接着剤等を第２シート１２０の内面側に印刷することにより形成することができる。
第１シート１１０と第２シート１２０とは、接着剤層１２１以外の他の部分は接合されていない。すなわち、接着剤層１２１によって接合されている１辺の他の２片については、非接合状態となっている。
本実施形態の紙製ファイル１００は、外形寸法が３１０ｍｍ×２３０ｍｍとなっており、Ａ４サイズの書類が収まるサイズとなっている。
また、図１に示すように、第１シート１１０の上下方向の寸法は、第２シート１２０の上下方向の寸法よりも短くなっており、第１シート１１０を手前側に開きやすくなっている。本実施形態では、第１シート１１０の上下方向の寸法は、第２シート１２０の上下方向の寸法よりも３ｍｍ短く、３０７ｍｍ×２３０ｍｍである。
【００１７】
第１シート１１０の右側の辺には、半円形上に切り取り可能な切除可能部１１１が設けられている。切除可能部１１１は、ミシン目Ｌ１０２に沿って容易に切り取り可能である。切除可能部１１１は、利用者の好みに応じて、切除して利用することができるが、切除せずに利用することも可能である。切除可能部１１１を切除することにより、第１シート１１０を開きやすくしたり、収容されている書類を取り出しやすくしたりすることができる。
【００１８】
第１シート１１０の表面には、利用者が自由に記入できる記入欄１１２が印刷により設けられている。本実施形態の紙製ファイル１００は、紙を素材としていることから、筆記性が良好であり、各種筆記用具を利用することができ、利便性が高い。
【００１９】
また、第１シート１１０には、窓構造１３０が設けられている。この窓構造１３０は、内部を視認可能とするために設けられている。
第１実施形態の第１シート１１０が有する窓構造１３０は、折り曲げ予定線Ｌ１０３と、切断予定線Ｌ１０４と、切断予定線Ｌ１０５と、切断線Ｌ１０６と、フラップ部１３１とを有しており、紙製ファイル１００の上方かつ、右端部に寄った位置に設けられている。
折り曲げ予定線Ｌ１０３は、上下方向に延在しており、折り曲げやすくするためにミシン目が設けられている。
切断予定線Ｌ１０４及び切断予定線Ｌ１０５は、左右方向に延在している。切断予定線Ｌ１０４及び切断予定線Ｌ１０５は、切断が容易に行えるように、極一部のみが周囲の第１シート１１０とフラップ部１３１とを繋いでおり、折り曲げ予定線Ｌ１０３よりも切断された部位の長さが長い破線状に切断されている。
切断線Ｌ１０６は、略上下方向に延在しており、曲線状に切断されている。
【００２０】
フラップ部１３１は、折り曲げ予定線Ｌ１０３と、切断予定線Ｌ１０４と、切断予定線Ｌ１０５と、切断線Ｌ１０６とに囲まれた領域である。フラップ部１３１は、切断予定線Ｌ１０４及び切断予定線Ｌ１０５を切断していない状態では、窓構造１３０の開口を塞いでいる。切断予定線Ｌ１０４及び切断予定線Ｌ１０５を切断した状態では、フラップ部１３１は、折り曲げ予定線Ｌ１０３において折り曲げることが可能となる。
【００２１】
第１シート１１０には、折り曲げ予定線Ｌ１０３よりも外側にスリット部１３２を有している。スリット部１３２は、折り曲げ予定線Ｌ１０３に沿って上下方向に延在しており、その長さは、折り曲げ予定線Ｌ１０３よりも長くなっている。
スリット部１３２には、フラップ部１３１を折り曲げ予定線Ｌ１０３で折り曲げた状態で挿入可能となっている。
【００２２】
図３は、フラップ部１３１を折り曲げ予定線Ｌ１０３で折り曲げた状態でスリット部１３２に挿入した状態の紙製ファイル１００を示す正面図である。
図４は、図３中の矢印Ａ−Ａの位置で紙製ファイル１００を切断した断面図である。
図５は、フラップ部１３１を折り曲げ予定線Ｌ１０３で折り曲げた状態でスリット部１３２に挿入した状態の紙製ファイル１００を示す斜視図である。
図３から図５に示すように、フラップ部１３１は、折り曲げ予定線Ｌ１０３を正面側から見て山折りに折り曲げて、スリット部１３２に内側から外側へ向けて挿入されて、右側へ引き出される。この状態で、フラップ部１３１は、第１シート１１０の外形形状よりも外側（右側）へ突出する。そして、フラップ部１３１が移動したことにより、開口部１３３が開口する。この開口部１３３を介して第１シート１１０と第２シート１２０との間に挟まれている書類等を紙製ファイル１００の外から見ることが可能となり、利便性が高い。
また、フラップ部１３１は、筆記可能な見出しとして利用することもでき、つまみとして利用することもでき、さらに、利便性を高めることができる。
また、フラップ部１３１をスリット部１３２へ挿入することにより、フラップ部１３１の位置を保持することができ、フラップ部１３１を安定させた状態とすることができる。
さらに、フラップ部１３１は、開口部１３３を塞いだ状態のままで利用することもでき、利用者にとって使い方の自由度が高い。
【００２３】
以上説明したように、第１実施形態によれば、フラップ部１３１を設けたので、開口部１３３の開閉を好みに応じて選択可能とすることができる。また、スリット部１３２を設けたので、フラップ部１３１の位置を安定的に保持することができる。そして、開口部１３３を開口した状態とすることにより、紙製ファイル１００を閉じた状態であっても内部を見ることができる。また書類を収めたときに書類の下辺は、接合されていない折り曲げ線Ｌ１０１であるため書類が収まりやすい。
【００２４】
（第２実施形態）
図６は、第２実施形態の紙製ファイル２００を示す正面図である。
図７は、第２実施形態の紙製ファイル２００を内面側から示す展開図である。
第２実施形態の紙製ファイル２００は、窓構造２３０の構成が異なる他は、第１実施形態の紙製ファイル１００と同様な構成をしている。よって、前述した第１実施形態と同様の機能を果たす部分には、同一の符号を付して、重複する説明を適宜省略する。
第２実施形態の紙製ファイル２００における第１シート２１０と、第２シート２２０と、接着剤層２２１と、切除可能部２１１と、記入欄２１２と、折り曲げ線Ｌ２０１と、ミシン目Ｌ２０２とは、第１実施形態の紙製ファイル１００における第１シート１１０と、第２シート１２０と、接着剤層１２１と、切除可能部１１１と、記入欄１１２と、折り曲げ線Ｌ１０１と、ミシン目Ｌ１０２とに対応しており、略同様な構成をしている。
【００２５】
第２実施形態の紙製ファイル２００の窓構造２３０は、開口部２３１と、切断片２３２と、第２接着剤層２２２とを有している。
【００２６】
開口部２３１は、第１シート２１０を窓形状に開口した貫通孔である。図７に示す展開状態においては、未だ、開口部２３１の形成は行われていない。
【００２７】
切断片２３２は、開口部２３１の開口形状と略同一の外形形状に形成されており、第２シート２２０の内面側の開口部２３１に対応する位置に第２接着剤層２２２によって接合されている。開口部２３１と同様に、図７に示す展開状態においては、未だ、切断片２３２の形成は行われていない。
【００２８】
第２接着剤層２２２は、折り曲げ線Ｌ２０１で折り曲げた状態で開口部２３１と重なる予定の第２シート２２０上に開口部２３１及び切断片２３２と同一形状で設けられている。第２接着剤層２２２は、第１実施形態の接着剤層１２１と同様な材料によって構成することができ、接着剤層２２１と第２接着剤層２２２とを同一材料により構成することにより、これらの塗布を１工程で行うことが可能となり、製造工程を簡略化できる。
【００２９】
図８は、第１シート２１０と第２シート２２０とを折り曲げ線Ｌ２０１で折り曲げて重ねた状態を示す図である。
図８に示す状態は、第２実施形態の紙製ファイル２００の製造途中の状態である。第１シート２１０と第２シート２２０とを折り曲げ線Ｌ２０１で折り曲げて重ねると、接着剤層２２１及び第２接着剤層によって、第１シート２１０と第２シート２２０とが部分的に接合される。
図８に示す状態とした後、開口部２３１及び切断片２３２の形成を行う。
【００３０】
図９は、開口部２３１及び切断片２３２の形成を行う工程を示す図である。
第１シート２１０と第２シート２２０とが部分的に接合された状態で、第２接着剤層２２２の外形形状と同一形状の切断刃Ｃによって、第１シート２１０のみを切断する。これにより、切断片２３２が第２シート２２０の内面に第２接着剤層２２２によって接合された状態で第１シート２１０から切り離される。また、開口部２３１が開口される。
図１０は、第１シート２１０を捲り上げた状態の紙製ファイル２００を示す斜視図である。
図１０に示すように、切断片２３２は、第２シート２２０の内面に接合された状態のまま使用される。
切断片２３２を上述のように第２シート２２０の内面に接合された状態のままとして、開口部２３１を構成することにより、製造工程において切断片２３２を除去する必要がなく、製造を容易に行うことが可能であり、紙製ファイル２００をより安価に提供できる。また、製造後に段差ができない（紙が１枚の部分と２枚の部分がない）ため、使用時に引っ掛かり難く、プリンター等にも通しやすく、使い勝手がよい。さらに、本実施形態の紙製ファイル２００は、書類を収める前には表面に段差がないため、同じ紙製ファイルや他の書類等を重ねて使用する場合でも段差で引っ掛かったりすることがなく使い勝手がよい。
【００３１】
以上説明したように、第２実施形態の紙製ファイル２００によれば、内部を見ることができる紙製ファイル２００をより簡単に製造することができる。
【００３２】
（第３実施形態）
図１１は、第３実施形態の紙製ファイル３００を示す正面図である。図１１では、外観からは見えない接着剤層３２１の位置を破線とハッチングで示している。
図１２は、第３実施形態の紙製ファイル３００を内面側から示す展開図である。
第３実施形態の紙製ファイル３００は、窓構造３３０の構成が異なる他は、第１実施形態の紙製ファイル１００と同様な構成をしている。よって、前述した第１実施形態と同様の機能を果たす部分には、同一の符号を付して、重複する説明を適宜省略する。
第３実施形態の紙製ファイル３００における第１シート３１０と、第２シート３２０と、接着剤層３２１と、切除可能部３１１と、記入欄３１２と、折り曲げ線Ｌ３０１と、ミシン目Ｌ３０２とは、第１実施形態の紙製ファイル１００における第１シート１１０と、第２シート１２０と、接着剤層１２１と、切除可能部１１１と、記入欄１１２と、折り曲げ線Ｌ１０１と、ミシン目Ｌ１０２とに対応しており、略同様な構成をしている。
【００３３】
第３実施形態の窓構造３３０は、切除予定線３３１と、切除予定部３３２とを有している。
切除予定線３３１は、屈曲した短い切断線が間隔を空けて連続指定配置されており、第１シート３１０を窓形状に切除可能にする。
切除予定部３３２は、切除予定線３３１に囲まれており、切除予定線３３１を切断することにより、切除することができる。切除予定部３３２を切除することにより、窓構造３３０が開口されて、内部を見ることが可能となる。
【００３４】
第３実施形態によれば、切除予定部３３２を設けたので、開口の無い状態と開口された状態とを利用者が選択して利用することができる。また、開口された状態では、切除予定部３３２が取り除かれるので、使用用途によっては、第１実施形態よりも使い勝手がよくなる。
【００３５】
（変形形態）
以上説明した実施形態に限定されることなく、種々の変形や変更が可能であって、それらも本考案の範囲内である。
【００３６】
（１）各実施形態において、窓構造１３０、２３０、３３０の開口形状は、適宜変更することができ、また、その大きさや位置も、変更可能である。
【００３７】
（２）各実施形態において、折り曲げ線Ｌ１０１、Ｌ２０１、Ｌ３０１と、接着剤層１２１、２２１、３２１との位置は、適宜変更してもよい。例えば、長辺側を折り曲げ線として短辺側に接着剤層を設けてもよい。
【００３８】
なお、各実施形態及び変形形態は、適宜組み合わせて用いることもできるが、詳細な説明は省略する。また、本考案は以上説明した各実施形態によって限定されることはない。
【符号の説明】
【００３９】
１００    紙製ファイル
１１０    第１シート
１１１    切除可能部
１１２    記入欄
１２０    第２シート
１２１    接着剤層
１３０    窓構造
１３１    フラップ部
１３２    スリット部
１３３    開口部
２００    紙製ファイル
２１０    第１シート
２１１    切除可能部
２１２    記入欄
２２０    第２シート
２２１    接着剤層
２２２    第２接着剤層
２３０    窓構造
２３１    開口部
２３２    切断片
３００    紙製ファイル
３１０    第１シート
３１１    切除可能部
３１２    記入欄
３２０    第２シート
３２１    接着剤層
３３０    窓構造
３３１    切除予定線
３３２    切除予定部
Ｌ１０１  折り曲げ線
Ｌ１０２  ミシン目
Ｌ１０３  折り曲げ予定線
Ｌ１０４  切断予定線
Ｌ１０５  切断予定線
Ｌ１０６  切断線
Ｌ２０１  折り曲げ線
Ｌ２０２  ミシン目
Ｌ３０１  折り曲げ線
Ｌ３０２  ミシン目
【図１】
0003231065.tif 000003
【図２】
0003231065.tif 000004
【図３】
0003231065.tif 000005
【図４】
0003231065.tif 000006
【図５】
0003231065.tif 000007
【図６】
0003231065.tif 000008
【図７】
0003231065.tif 000009
【図８】
0003231065.tif 000010
【図９】
0003231065.tif 000011
【図１０】
0003231065.tif 000012
【図１１】
0003231065.tif 000013
【図１２】
0003231065.tif 000014